(57)【特許請求の範囲】
【請求項１】
画像を表す画像データが記憶される画像データ記憶部と、
前記画像のプレビュー画像を表示する表示部と、
前記プレビュー画像を前記表示部に表示させる操作を受け付ける表示受付部と、
前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、
前記画質優先モードに対応する前記プレビュー画像の画質の設定内容及び前記表示パフォーマンス優先モードに対応する前記プレビュー画像の画質の設定内容を記憶する設定記憶部と、
前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、
前記画像生成部で生成された前記プレビュー画像を前記表示部に表示させる表示制御部と、を備え、
前記設定受付部は、前記画質優先モードにおいて前記プレビュー画像の画質のレベルを設定する操作及び前記表示パフォーマンス優先モードにおいて前記表示パフォーマンスのレベルを設定する操作をそれぞれ受け付け、
前記設定記憶部には前記設定受付部で受け付けられた前記設定操作に対応する前記プレビュー画像の画質の設定内容が記憶され、
前記画像生成部は、前記表示受付部が前記プレビュー画像の表示操作を受け付けると、前記設定受付部により受け付けられた前記設定操作に対応する前記プレビュー画像の画質の設定内容を前記設定記憶部から読み出し、当該読み出した設定内容に基づいた前記プレビュー画像を、前記画像データ記憶部に記憶されている前記画像データを基にして生成する画像表示装置。
【請求項２】
画像を表す画像データが記憶される画像データ記憶部と、
前記画像のプレビュー画像を表示する表示部と、
前記プレビュー画像を前記表示部に表示させる操作を受け付ける表示受付部と、
前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、
前記画質優先モードに対応する前記プレビュー画像の画質の設定内容及び前記表示パフォーマンス優先モードに対応する前記プレビュー画像の画質の設定内容を記憶する設定記憶部と、
前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、
前記画像生成部で生成された前記プレビュー画像を前記表示部に表示させる表示制御部と、
予め定められた認証データを基にしてメンテナンス者を認証する認証部と、
前記認証部が前記メンテナンス者の認証をすることにより、前記メンテナンス者が前記画像表示装置をメンテナンスする操作ができるメンテナンスモードを実行するモード制御部と、を備え、
前記設定受付部は、前記メンテナンスモードのときに前記選択する操作を受け付ける画像表示装置。
【請求項３】
前記設定記憶部は、前記メンテナンスモードのときに前記設定受付部で前記選択する操作が受け付けられたモードに対応する前記プレビュー画像の画質の設定内容をデフォルト設定として記憶しており、
前記認証部が前記メンテナンス者の認証をしていないときに、前記設定受付部が前記選択する操作を受け付けると、当該受け付けられたモードに対応する前記プレビュー画像の画質の設定内容がユーザー設定として前記設定記憶部に記憶され、
前記画像生成部は、前記設定記憶部に前記デフォルト設定及び前記ユーザー設定の両方が記憶されている場合、前記ユーザー設定を選択し、前記ユーザー設定に応じた設定内容を前記設定記憶部から読み出し、当該読み出した設定内容に基づいた前記プレビュー画像を、前記画像データ記憶部に記憶されている前記画像データを基にして生成し、前記設定記憶部に前記デフォルト設定が記憶され、前記ユーザー設定が記憶されていない場合、前記デフォルト設定に応じた設定内容を前記設定記憶部から読み出し、当該読み出した設定内容に基づいた前記プレビュー画像を、前記画像データ記憶部に記憶されている前記画像データを基にして生成する請求項２に記載の画像表示装置。
【請求項４】
前記設定受付部は、前記画質優先モードにおいて前記プレビュー画像の画質を設定する操作及び前記表示パフォーマンス優先モードにおいて前記表示パフォーマンスを設定する操作をそれぞれ受け付け、
前記設定記憶部には前記設定受付部で受け付けられた前記設定操作に対応する前記プレビュー画像の画質の設定内容が記憶され、
前記認証部が前記メンテナンス者の認証をしていない場合に、前記設定受付部は、前記画質優先モード又は前記表示パフォーマンス優先モードの前記設定内容について、前記認証部が前記メンテナンス者の認証をしている場合と比べて、簡素化された前記設定操作を受け付け、
前記画像生成部は、前記表示受付部が前記プレビュー画像の表示操作を受け付けると、前記設定受付部により受け付けられた前記設定操作に対応する前記プレビュー画像の画質の設定内容を前記設定記憶部から読み出し、当該読み出した設定内容に基づいた前記プレビュー画像を、前記画像データ記憶部に記憶されている前記画像データを基にして生成する請求項３に記載の画像表示装置。
【請求項５】
画像を表す画像データが記憶される画像データ記憶部と、
前記画像のプレビュー画像を表示する表示部と、
前記プレビュー画像を前記表示部に表示させる操作を受け付ける表示受付部と、
前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、
前記画質優先モードに対応する前記プレビュー画像の画質の設定内容及び前記表示パフォーマンス優先モードに対応する前記プレビュー画像の画質の設定内容を記憶する設定記憶部と、
前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、
前記画像生成部で生成された前記プレビュー画像を前記表示部に表示させる表示制御部と、
前記画質優先モードの前記設定内容及び前記表示パフォーマンス優先モードの前記設定内容に対応するサンプルプレビュー画像及び前記それぞれのモードの設定内容で前記プレビュー画像を生成した場合に必要と想定される表示時間のデータであるサンプルデータを予め記憶しているサンプルデータ記憶部と、を備え、
前記設定受付部で前記設定操作が受け付けられると、前記表示制御部は、前記設定受付部により受け付けられた当該設定内容に対応する前記サンプルプレビュー画像及び前記表示時間を前記サンプルデータ記憶部から読み出し、当該サンプルプレビュー画像及び当該表示時間を含む設定画面を前記表示部に表示させる画像表示装置。
【請求項６】
画像を表す画像データが記憶される画像データ記憶部と、
前記画像のプレビュー画像を表示する表示部と、
前記プレビュー画像を前記表示部に表示させる操作を受け付ける表示受付部と、
前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、
前記画質優先モードに対応する前記プレビュー画像の画質の設定内容及び前記表示パフォーマンス優先モードに対応する前記プレビュー画像の画質の設定内容を記憶する設定記憶部と、
前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、
前記画像生成部で生成された前記プレビュー画像を前記表示部に表示させる表示制御部と、
前記画質優先モードにおいて前記プレビュー画像の画質を設定する操作又は前記表示パフォーマンス優先モードにおいて前記表示パフォーマンスを設定する操作が前記設定受付部で受け付けられると、前記画像生成部は、前記設定受付部で受け付けられた当該設定操作に対応する前記プレビュー画像の画質の設定内容に応じたサンプルプレビュー画像を生成し、
当該画像表示装置は、前記画像生成部による前記サンプルプレビュー画像の生成を開始してから当該サンプルプレビュー画像が前記表示制御部により前記表示部に表示されるまでの時間を計測する計測部を備えており、
前記表示制御部は、前記画像生成部で生成された前記サンプルプレビュー画像及び前記計測部で計測された時間を含む前記設定画面を前記表示部に表示させる画像表示装置。
【請求項７】
請求項１〜６のいずれか一項に記載の画像表示装置と、
前記画像データ記憶部に記憶されている前記画像データに基づいて用紙に画像形成動作をする画像形成部と、を備える画像形成装置。
【発明の詳細な説明】
【技術分野】
【０００１】
本発明は、プレビュー画像を表示する機能を有する画像表示装置及びそれを備える画像形成装置に関する。
【背景技術】
【０００２】
複合機等の画像形成装置には、プレビュー画像を表示する機能を有するものがある。プレビュー画像には、コピージョブやファクシミリ送信ジョブの実行前に結果を確認できる仕上がりプレビューや、文書ボックス機能を有する画像形成装置において、文書ボックスに格納されている画像データで表される文書を確認できる文書プレビューがある。
【０００３】
プレビュー機能を有する画像形成装置として、画像を表示する表示部と、記録紙に画像を印刷する記録部と、操作者によって印刷条件が入力される操作部と、操作部に入力された印刷条件が反映された印刷条件入力用プレビュー画像を生成するプレビュー画像生成部と、操作部に入力された印刷条件と、プレビュー画像生成手段によって生成された印刷条件入力用プレビュー画像と互いに関連付けて記憶する印刷条件記憶部と、当該生成された印刷条件入力用プレビュー画像を表示部に表示させる表示制御部と、操作部に操作者から受け付けられた印刷条件入力用プレビュー画像に関連付けられた印刷条件を、印刷条件記憶部から読み出し、当該読み出した印刷条件で記録部に印刷を行わせる制御部と、を備えるものがある(例えば特許文献１参照)。
【先行技術文献】
【特許文献】
【０００４】
【特許文献１】特開２００８−１７６１３３号公報
【発明の概要】
【発明が解決しようとする課題】
【０００５】
プレビュー画像を表示させる場合、プレビュー画像の画質を良くすれば、プレビュー画像が表示されるまでの時間が長くなる。これに対して、プレビュー画像が表示されるまでの時間が短くなるようにすれば、プレビュー画像の画質が低下する。
【０００６】
ユーザーにはプレビュー画像の画質を重視する者もいれば、プレビュー画像を速く表示させたい者もいるため、両者の目的を満足させることは困難だった。
【０００７】
本発明は、プレビュー画像の画質を重視するユーザー、プレビュー画像を速く表示させたいユーザーのいずれの要望にも応じることができる画像表示装置及びそれを備える画像形成装置を提供することを目的とする。
【課題を解決するための手段】
【０００８】
上記目的を達成する本発明の一の局面に係る画像表示装置は、画像を表す画像データが記憶される画像データ記憶部と、前記画像のプレビュー画像を表示する表示部と、前記プレビュー画像を前記表示部に表示させる操作を受け付ける表示受付部と、前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、前記画質優先モードに対応する前記プレビュー画像の画質の設定内容及び前記表示パフォーマンス優先モードに対応する前記プレビュー画像の画質の設定内容を記憶する設定記憶部と、前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、前記画像生成部で生成された前記プレビュー画像を前記表示部に表示させる表示制御部と、を備える。
【０００９】
上記目的を達成する本発明の一の局面に係る画像表示装置では、表示部にプレビュー画像を表示させる場合に画質優先モードと表示パフォーマンス優先モードのいずれかが選択される。設定記憶部は設定受付部により選択する操作が受け付けられたモードに対応するプレビュー画像の画質の設定内容を記憶している。画質優先モードが選択されている場合に表示受付部がプレビュー画像の表示操作を受け付けると、画像データ生成部が、設定記憶部に記憶されている、画質優先モードに対応するプレビュー画像の画質の設定内容に応じたプレビュー画像を生成し、表示制御部がそのプレビュー画像を表示部に表示させる。これにより、予め定められた以上の画質を有するプレビュー画像を表示させることができる。
【００１０】
一方、表示パフォーマンス優先モードが選択されている場合に表示受付部がプレビュー画像の表示操作を受け付けると、画像データ生成部が、設定記憶部に記憶されている、表示パフォーマンス優先モードに対応するプレビュー画像の画質の設定内容に応じたプレビュー画像を表すプレビュー画像を生成し、表示制御部がそのプレビュー画像を表示部に表示させる。これにより、予め定められた以上の表示パフォーマンスでプレビュー画像を表示させることができる。
【００１１】
以上により、本発明の一の局面に係る画像表示装置によれば、プレビュー画像の画質を重視するユーザー、プレビュー画像を速く表示させたいユーザーのいずれの要望にも応じることができる。
【００１２】
上記構成において、予め定められた認証データを基にしてメンテナンス者を認証する認証部と、前記認証部が前記メンテナンス者の認証をすることにより、前記メンテナンス者が前記画像表示装置をメンテナンスする操作ができるメンテナンスモードを実行するモード制御部と、を備え、前記設定受付部は、前記メンテナンスモードのときに前記選択する操作を受け付ける。
【００１３】
この構成によれば、メンテナンス者の認証が必要となるメンテナンスモードのときに、設定受付部は画質優先モード又は表示パフォーマンス優先モードを選択する操作を受け付けるので、当該選択する操作をする者を制限することができる。
【００１４】
上記構成において、前記設定記憶部は、前記メンテナンスモードのときに前記設定受付部で前記選択する操作が受け付けられたモードに対応する前記プレビュー画像の画質の設定内容をデフォルト設定として記憶しており、前記認証部が前記メンテナンス者の認証をしていないときに、前記設定受付部が前記選択する操作を受け付けると、当該受け付けられたモードに対応する前記プレビュー画像の画質の設定内容がユーザー設定として前記設定記憶部に記憶され、前記画像生成部は、前記設定記憶部に前記デフォルト設定及び前記ユーザー設定の両方が記憶されている場合、前記ユーザー設定を選択し、前記ユーザー設定に応じた設定内容を前記設定記憶部から読み出し、当該読み出した設定内容に基づいた前記プレビュー画像を、前記画像データ記憶部に記憶されている前記画像データを基にして生成し、前記設定記憶部に前記デフォルト設定が記憶され、前記ユーザー設定が記憶されていない場合、前記デフォルト設定に応じた設定内容を前記設定記憶部から読み出し、当該読み出した設定内容に基づいた前記プレビュー画像を、前記画像データ記憶部に記憶されている前記画像データを基にして生成する。
【００１５】
この構成によれば、認証部がメンテナンス者の認証をしていないときに、設定受付部が画質優先モード又は表示パフォーマンス優先モードを設定する操作を受け付けると、当該受け付けられたモードに対応するプレビュー画像の画質の設定内容がユーザー設定として設定記憶部に記憶される。設定記憶部にデフォルト設定及びユーザー設定の両方が記憶されている場合、画像生成部はユーザー設定を選択し、ユーザー設定に応じたプレビュー画像を生成する。これに対して、設定記憶部にデフォルト設定が記憶され、ユーザー設定が記憶されていない場合、画像データ生成部はデフォルト設定に応じたプレビュー画像を生成する。
【００１６】
従って、プレビュー画像の表示についてユーザー設定を選択したい場合はユーザー設定をし、デフォルト設定を選択したい場合はユーザー設定をしないことにより、デフォルト設定とユーザー設定を選択することができる。
【００１７】
上記構成において、前記設定受付部は、前記画質優先モードにおいて前記プレビュー画像の画質を設定する操作及び前記表示パフォーマンス優先モードにおいて前記表示パフォーマンスを設定する操作をそれぞれ受け付け、前記設定記憶部には前記設定受付部で受け付けられた前記設定操作に対応する前記プレビュー画像の画質の設定内容が記憶され、前記認証部が前記メンテナンス者の認証をしていない場合に、前記設定受付部は、前記画質優先モード又は前記表示パフォーマンス優先モードの前記設定内容について、前記認証部が前記メンテナンス者の認証をしている場合と比べて、簡素化された前記設定操作を受け付け、前記画像生成部は、前記表示受付部が前記プレビュー画像の表示操作を受け付けると、前記設定受付部により受け付けられた前記設定操作に対応する前記プレビュー画像の画質の設定内容を前記設定記憶部から読み出し、当該読み出した設定内容に基づいた前記プレビュー画像を、前記画像データ記憶部に記憶されている前記画像データを基にして生成する。
【００１８】
この構成によれば、設定受付部は、画質優先モードにおいてプレビュー画像の画質を設定する操作及び表示パフォーマンス優先モードにおいて表示パフォーマンスを設定する操作をそれぞれ受け付けており、認証部がメンテナンス者の認証をしていない場合に、認証部がメンテナンス者の認証をしている場合と比べて、設定受付部は簡素化された設定操作を受け付ける。従って、プレビュー画像の画質や表示パフォーマンスの設定に関して専門的知識を有さないユーザーに対して、設定に複雑な操作を要求しないようにすることができる。
【００１９】
上記構成において、前記画質優先モードの前記設定内容及び前記表示パフォーマンス優先モードの前記設定内容に対応するサンプルプレビュー画像及び前記それぞれのモードの設定内容で前記プレビュー画像を生成した場合に必要と想定される表示時間のデータであるサンプルデータを予め記憶しているサンプルデータ記憶部を備え、前記設定受付部で前記設定操作が受け付けられると、前記表示制御部は、前記設定受付部により受け付けられた当該設定内容に対応する前記サンプルプレビュー画像及び前記表示時間を前記サンプルデータ記憶部から読み出し、当該サンプルプレビュー画像及び当該表示時間を含む設定画面を前記表示部に表示させる。
【００２０】
この構成によれば、プレビュー画像の画質の設定時や表示パフォーマンスの設定時に実際のプレビュー画像の画質及びその表示パフォーマンスを想定して把握することができる。
【００２１】
上記構成において、前記画質優先モードにおいて前記プレビュー画像の画質を設定する操作又は前記表示パフォーマンス優先モードにおいて前記表示パフォーマンスを設定する操作が前記設定受付部で受け付けられると、前記画像生成部は、前記設定受付部で受け付けられた当該設定操作に対応する前記プレビュー画像の画質の設定内容に応じたサンプルプレビュー画像を生成し、当該画像表示装置は、前記画像生成部による前記サンプルプレビュー画像の生成を開始してから当該サンプルプレビュー画像が前記表示制御部により前記表示部に表示されるまでの時間を計測する計測部を備えており、前記表示制御部は、前記画像生成部で生成された前記サンプルプレビュー画像及び前記計測部で計測された時間を含む前記設定画面を前記表示部に表示させる。
【００２２】
この構成によれば、プレビュー画像の画質の設定時や表示パフォーマンスの設定時に実際のプレビュー画像の画質及びその表示パフォーマンスを想定して把握することができる。
【００２３】
また、この構成によれば、サンプルプレビュー画像の生成が開始されてからそのサンプルプレビュー画像が表示部に表示されるまでの時間を、計測部により計測し、表示制御部がその計測した時間を実際のプレビュー画像の表示パフォーマンスとして表示部に表示している。従って、表示パフォーマンスを複雑な計算をすることなく求めることができる。
【００２４】
上記目的を達成する本発明の他の局面に係る画像形成装置は、前記画像表示装置と、前記画像データ記憶部に記憶されている前記画像データに基づいて用紙に画像形成動作をする画像形成部と、を備える。
【００２５】
本発明の他の局面に係る画像形成装置によれば、上述した本発明の一の局面に係る画像表示装置と同様の作用を有する。
本発明のさらに他の局面に係る画像表示装置は、画像を表す画像データが記憶される画像データ記憶部と、前記画像のプレビュー画像を表示する表示部と、前記プレビュー画像を前記表示部に表示させる操作を受け付ける表示受付部と、前記表示部に表示される前記プレビュー画像の画質と、前記表示受付部が前記プレビュー画像の表示操作を受け付けてから前記表示部に前記プレビュー画像が表示されるまでの時間の短さである表示パフォーマンスとについて、前記プレビュー画像の画質を予め定められた以上にする画質優先モード及び前記表示パフォーマンスを予め定められた以上にする表示パフォーマンス優先モードのいずれかのモード設定を選択する操作を受け付ける設定受付部と、前記画質優先モードに対応する前記プレビュー画像の画質の設定内容及び前記表示パフォーマンス優先モードに対応する前記プレビュー画像の画質の設定内容を記憶する設定記憶部と、前記表示受付部が前記プレビュー画像の表示操作を受け付けると、前記設定受付部により受け付けられた前記画質優先モード又は前記表示パフォーマンス優先モードのいずれかのモードに対応する設定内容を前記設定記憶部から読み出し、当該読み出した設定内容に基づいた前記プレビュー画像を、前記画像データ記憶部に記憶されている前記画像データを基にして生成する画像生成部と、前記画像生成部で生成された前記プレビュー画像を前記表示部に表示させる表示制御部と、を備え、前記設定受付部は、前記画質優先モードにおいて前記プレビュー画像の画質のレベルを設定する操作及び前記表示パフォーマンス優先モードにおいて前記表示パフォーマンスのレベルを設定する操作をそれぞれ受け付け、前記設定記憶部には前記設定受付部で受け付けられた前記設定操作に対応する前記プレビュー画像の画質の設定内容が記憶され、前記画像生成部は、前記表示受付部が前記プレビュー画像の表示操作を受け付けると、前記設定受付部により受け付けられた前記設定操作に対応する前記プレビュー画像の画質の設定内容を前記設定記憶部から読み出し、当該読み出した設定内容に基づいた前記プレビュー画像を、前記画像データ記憶部に記憶されている前記画像データを基にして生成する画像表示装置である。
【発明の効果】
【００２６】
本発明によれば、プレビュー画像の画質を重視するユーザー、プレビュー画像を速く表示させたいユーザーのいずれの要望にも応じることができる。
【図面の簡単な説明】
【００２７】
【図１】本発明の一実施形態に係る画像形成装置の一例である複合機の構成を示す側面概略図である。
【図２】操作部の部分拡大図である。
【図３】図１に示す複合機の制御ブロック図である。
【図４】メンテナンス者用のプレビュー画像の設定画面の一例を示す図である。
【図５】ユーザー用のプレビュー画像の設定画面の一例を示す図である。
【図６】本実施形態に係る画像形成装置において、表示部にプレビュー画像を表示させる工程を説明するフローチャートである。
【図７】コピーの初期画面の一例を示す図である。
【発明を実施するための形態】
【００２８】
以下、本発明に係る画像表示装置及びこれを備えた画像形成装置について説明する。図１は、本発明の一実施形態に係る画像形成装置の一例である複合機１の構成を示す側面概略図である。図２は、操作部４００の部分拡大図である。複合機１は、スキャナー機能、ファクシミリ機能、プリンター機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読取部５００と、原稿読取部５００の上部に配設された原稿給送部６００とから構成される。
【００２９】
図２にも示すように、操作部４００は、ＬＣＤ(Liquid Crystal Display)等からなる表示部４１０と、操作者から操作指示が入力される操作キー部４３０を備える。操作キー部４３０は、ヘルプキー４３１、スタートボタン４３２、テンキー４３３、及び機能切換キー４３４等を備える。
【００３０】
ヘルプキー４３１は、操作者から、スキャナー機能、ファクシミリ機能、プリンター機能、コピー機能等に関する各操作方法を表示する操作画面(ヘルプ画面)を表示部４１０に表示させるために操作されるキーである。
【００３１】
スタートボタン４３２は、コピー動作やスキャン動作等の各動作を開始させるために操作されるキーである。テンキー４３３は、コピー部数を指定する指示等をするために操作されるキーである。
【００３２】
機能切換キー４３４は、コピー機能、送信機能(スキャナー機能、ファクシミリ機能等)、文書ボックス機能(後述するＨＤＤ７４内に設けられている操作者毎の記憶領域(メールボックス)に記憶されているデータを読み出してプリントする機能)等を相互に切り替える機能切換指示を操作者から受け付けるキーである。
【００３３】
表示部４１０は、タッチパネル機能を組み合わせたタッチパネルユニット等を備えている。表示部４１０は、種々の操作画面や設定画面を表示すると共に、操作者が表示面(表示されている操作キー)をタッチすることで種々の機能の実行指令を入力することが可能とされている。
【００３４】
原稿給送部６００は、原稿載置部６０１、給紙ローラー６０２、原稿搬送部６０３及び原稿排出部６０４を備える。原稿読取部５００は、キャリッジ５０１を含むスキャナー部(図３)及びガラス等の透明部材により構成された原稿台５０３を備える。給紙ローラー６０２は、原稿載置部６０１にセットされた所要枚数分の原稿を一枚ずつ繰り出し、原稿搬送部６０３は、繰り出される原稿を順次キャリッジ５０１の読み取り位置に搬送する。スキャナー部はキャリッジ５０１を利用して、搬送される原稿の画像を順次読み取り、又は原稿台５０３にセットされた原稿を読み取り、読み取られた原稿は原稿排出部６０４に排出される。
【００３５】
本体部２００は、複数の給紙カセット２０１、複数の給紙ローラー２０２、転写ローラー２０３、感光体ドラム２０４、露光装置２０６、現像装置２０７、定着ローラー２０８、排出口２０９、及び排出トレイ２１０等を備える。
【００３６】
感光体ドラム２０４は、矢印方向に回転しながら帯電装置(図示省略)によって一様に帯電される。露光装置２０６は、原稿読取部５００において読み取られた原稿の画像に応じて変調されたレーザー光を感光体ドラム２０４上に走査し、ドラム表面に各色毎の静電潜像を形成する。現像装置２０７は、黒色の現像剤を感光体ドラム２０４に供給してトナー画像を形成する。
【００３７】
一方、給紙ローラー２０２は、記録紙が収納された給紙カセット２０１から記録紙を引き出し、転写ローラー２０３まで給送する。転写ローラー２０３は、搬送された記録紙に感光体ドラム２０４上のトナー像を転写させ、定着ローラー２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００３８】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３９】
図３は、図１に示す複合機１の制御ブロック図である。複合機１は、スキャナー部１１、画像処理部２１、プリンター部３１、操作部４００、制御部５１、ネットワークＩ／Ｆ(インターフェース)部７１、ＨＤＤ(ハードディスクドライブ)７４、及びファクシミリ通信部７５を備える。
【００４０】
スキャナー部１１は、ＣＣＤ(Charge Coupled Device：電荷結合素子)１３と図１に示すキャリッジ５０１に収容された露光ランプ１２等を含む。スキャナー部１１は、露光ランプ１２により原稿を照射し、その反射光をＣＣＤ１３で受光することにより、原稿から画像を読み取り、読み取った画像に対応する画像データを画像処理部２１へ出力する。
【００４１】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像データは印刷用に画像メモリ２４に記憶され、又はプリンター部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００４２】
プリンター部３１は、図１に示す給紙カセット２０１及び給紙ローラー２０２等から構成される用紙搬送部３２、図１に示す感光体ドラム２０４、露光装置２０６及び現像装置２０７等から構成される画像形成部３３、図１に示す転写ローラー２０３等から構成される転写部３４、及び図１に示す定着ローラー２０８等から構成される定着部３５を含む。プリンター部３１は、スキャナー部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００４３】
ネットワークＩ／Ｆ部７１は、ネットワークインタフェイス(10/100Base-TX)等を用
い、ＬＡＮを介して外部装置との間での種々のデータの送受信を制御する。ＨＤＤ７４は、スキャナー部１１によって読み取られた画像及び当該画像に設定されている出力形式等を記憶する。
【００４４】
操作部４００は、図１及び図２に示したように表示部４１０、操作キー部４３０を備える。表示部４１０は、タッチパネル機能により各種指示の入力を受け付ける複数のキーを表示制御部６１による制御の下で表示する。
【００４５】
操作キー部４３０には、図２に示した機能切換キー４３４、スタートボタン４３２、及びテンキー４３３等が設けられている。
【００４６】
図３において、ファクシミリ通信部７５は、符号化／復号化部(図示省略)、変復調部(図示省略)及びＮＣＵ(Network Control Unit)(図示省略)を含む。ファクシミリ通信部７５は、スキャナー部１１によって読み取られた原稿の画像データを、電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号(音声信号)を画像データに復調する。ＮＣＵは、送受信先となるファクシミリ装置等との電話回線による接続を制御する。
【００４７】
制御部５１は、動作制御部５２、操作受付部５３、データ記憶部５５、画像生成部５６、圧縮部５７、認証部５８、モード制御部５９、計測部６０及び表示制御部６１を備える。これら各部の機能は、制御部５１に備えられるＣＰＵ、ＲＡＭ及びＥＥＰＲＯＭ(Electrically Erasable Programmable Read-Only Memory)等並びにＥＥＰＲＯＭに格納されたこれら各部の機能を実行するプログラムにより実現される。
【００４８】
動作制御部５２は、複合機１の各部(操作部４００、スキャナー部１１、画像処理部２１、プリンター部３１等)の動作制御を司る。
【００４９】
操作受付部５３は、操作者により操作部４００が操作されると、その操作を受け付ける。操作受付部５３は、表示受付部５３１と設定受付部５３２を備える。
【００５０】
表示受付部５３１は、プレビュー画像を表示部４１０に表示するために、操作部４００が操作されると(具体的には図７に示すプレビューキー４１０１)、その操作を受け付ける。
【００５１】
設定受付部５３２は、プレビュー画像の画質を予め定められた以上にする画質優先モード及び表示パフォーマンスを予め定められた以上にする表示パフォーマンス優先モードのいずれかのモード設定を選択する操作を受け付ける。表示パフォーマンスとは、表示受付部５３１がプレビュー画像の表示操作を受け付けてから表示部４１０にプレビュー画像が表示されるまでの時間の短さである。画質優先モードは表示パフォーマンスよりもプレビュー画像の画質を優先させるモードであり、表示パフォーマンス優先モードはプレビュー画像の画質よりも表示パフォーマンスを優先させるモードである。
【００５２】
また、設定受付部５３２は、画質優先モードにおいてプレビュー画像の画質を設定する操作及び表示パフォーマンス優先モードにおいて表示パフォーマンスを設定する操作をそれぞれ受け付ける。
【００５３】
さらに、設定受付部５３２は、後で説明する認証部５８がメンテナンス者の認証をしていない場合に、認証部５８がメンテナンス者の認証をしている場合と比べて、画質優先モード又は表示パフォーマンス優先モードの設定内容について、簡素化された設定操作を受け付ける。
【００５４】
データ記憶部５５は、画像データ記憶部５５１、設定記憶部５５２及びサンプルデータ記憶部５５３を含む。画像データ記憶部５５１は、原稿読取部５００で読み取られた原稿の画像データが、画像処理部２１で画像形成用の画像データに処理されたものを記憶する。
【００５５】
設定記憶部５５２は、画質優先モードに対応するプレビュー画像の画質の設定内容及び表示パフォーマンス優先モードに対応するプレビュー画像の画質の設定内容を記憶する。
【００５６】
また、設定記憶部５５２は、設定受付部５３２で受け付けられた設定操作に対応するプレビュー画像の画質の設定内容を記憶する。設定操作とは、画質優先モードにおいてプレビュー画像の画質を設定する操作及び表示パフォーマンス優先モードにおいて表示パフォーマンスを設定する操作である。
【００５７】
サンプルデータ記憶部５５３は、サンプルデータを予め記憶している。サンプルデータとは、画質優先モードの設定内容及び表示パフォーマンス優先モードの設定内容に対応するサンプルプレビュー画像及びそれぞれのモードの設定内容でプレビュー画像を生成した場合に必要と想定される表示時間のデータである。
【００５８】
また、データ記憶部５５は、操作者に対する操作案内を行うための操作画面及び各種設定をするための設定画面を表示するための各種データや、スキャナー機能、ファクシミリ機能、プリンター機能、コピー機能等の各機能の動作状況を表示するための表示画面用の画像データ(画像、文字、記号等の各データを含む)を記憶している。
【００５９】
画像生成部５６は、表示受付部５３１がプレビュー画像の表示操作を受け付けると、設定受付部５３２により受け付けられた画質優先モード又は表示パフォーマンス優先モードのいずれかのモードに対応する設定内容を設定記憶部５５２から読み出し、当該読み出した設定内容に基づいたプレビュー画像を、画像データ記憶部５５１に記憶されている画像データを基にして生成する。
【００６０】
また、画像生成部５６は、設定記憶部５５２にデフォルト設定及びユーザー設定の両方が記憶されている場合、ユーザー設定を選択し、ユーザー設定に応じた設定内容を設定記憶部５５２から読み出し、当該読み出した設定内容に基づいたプレビュー画像を、画像データ記憶部５５１に記憶されている画像データを基にして生成する。画像生成部５６は、設定記憶部５５２にデフォルト設定が記憶され、ユーザー設定が記憶されていない場合、デフォルト設定に応じた設定内容を設定記憶部５５２から読み出し、当該読み出した設定内容に基づいたプレビュー画像を、画像データ記憶部５５１に記憶されている画像データを基にして生成する。
【００６１】
後で説明する認証部５８がメンテナンス者の認証をしている場合、設定受付部５３２で設定操作が受け付けられると、画像生成部５６は、設定受付部５３２で受け付けられた設定操作に対応するプレビュー画像の画質の設定内容に応じたサンプルプレビュー画像を生成する。設定操作とは、画質優先モードにおいてプレビュー画像の画質を設定する操作又は表示パフォーマンス優先モードにおいて表示パフォーマンスを設定する操作である。
【００６２】
圧縮部５７は、画像生成部５６で生成されたプレビュー画像データを圧縮する処理をする。
【００６３】
認証部５８は、予め定められた認証データを基にして、複合機１のメンテナンス者を認証する。本実施形態ではメンテナンス者用のパスワードが認証に用いられる。認証部５８には、認証データとしてメンテナンス者用のパスワードが記憶されている。メンテナンス者の認証にはＩＤ(identification)カード、生体認証などの他の認証を用いてもよい。
【００６４】
モード制御部５９は、認証部５８でメンテナンス者の認証がされることによって、メンテナンス者が複合機１をメンテナンスする操作ができるメンテナンスモードを実行する。
【００６５】
メンテナンスモードにおいて設定受付部５３２は、画質優先モード又は表示パフォーマンス優先モードを選択する操作を受け付ける。設定記憶部５５２は、メンテナンスモードのときに設定受付部５３２で前記選択する操作が受け付けられたモードに対応するプレビュー画像の画質の設定内容がデフォルト設定として記憶している。一方、認証部５８がメンテナンス者の認証をしていないときに、設定受付部５３２が前記選択する操作を受け付けると、当該受け付けられたモードに対応するプレビュー画像の画質の設定内容がユーザー設定として設定記憶部５５２に記憶される。
【００６６】
計測部６０は、画像生成部５６でサンプルプレビュー画像の生成を開始してからサンプルプレビュー画像が表示制御部６１により表示部４１０に表示されるまでの時間を計測する。
【００６７】
表示制御部６１は、表示部４１０の表示動作を制御する。具体的には以下の(ａ)〜(ｄ)の制御をする。
【００６８】
(ａ)表示制御部６１は、データ記憶部５５から、操作画面の表示に必要な画像データ等を読み出して表示部４１０に表示させる。
【００６９】
(ｂ)表示制御部６１は、画像生成部５６で生成されたプレビュー画像を表示部に表示させる。
【００７０】
(ｃ)表示制御部６１は、認証部５８がメンテナンス者の認証をしていない場合、設定受付部５３２で設定操作が受け付けられると、  前記表示制御部６１は、設定受付部５３２により受け付けられた当該設定内容に対応するサンプルプレビュー画像及び表示時間をサンプルデータ記憶部５５３から読み出し、当該サンプルプレビュー画像及び当該表示時間を含む設定画面を表示部４１０に表示させる。
【００７１】
(ｄ)表示制御部６１は、画像生成部５６で生成されたサンプルプレビュー画像及び計測部６０で計測された時間を含む設定画面を表示部４１０に表示させる。
【００７２】
なお、本発明の一実施形態に係る画像表示装置は、操作部４００と、表示部４１０と、画像データ記憶部５５１と、表示受付部５３１と、設定受付部５３２と、設定記憶部５５２と、画像生成部５６と、表示制御部６１とを備え、更に、処理の必要性に応じて、認証部５８と、モード制御部５９と、サンプルデータ記憶部５５３と、計測部６０とを備えてもよい。
【００７３】
ここで、複合機１において、プレビュー画像の生成からプレビュー画像の表示までの処理について、コピー画像を例にして簡単に説明する。
【００７４】
(１)図３に示すスキャナー部１１で読み取られた原稿の画像データは、画像処理部２１で画像形成用に処理された後、画像データ記憶部５５１に一時的に記憶される。
【００７５】
(２)画像生成部５６は、その画像データを画像データ記憶部５５１から取り出して、縮小等の処理をしてプレビュー画像を生成する。
【００７６】
(３)圧縮部５７は、プレビュー画像を圧縮して圧縮データを生成する。
【００７７】
(４)表示制御部６１は、その圧縮データをＨＤＤ７４に記憶させると共に表示部４１０に送る。なお、制御部５１と表示部４１０とがUSB(Universal Serial Bus)通信などで接続されている場合はその通信仕様に圧縮データが変換されて表示部４１０に転送される。
【００７８】
(５)表示制御部６１は、表示部４１０のドライバー(不図示)を制御して、圧縮データを伸長させ、そして表示部４１０にプレビュー画像を表示できるように、伸長したプレビュー画像のフォーマットを変換させてプレビュー画像を表示部４１０に表示させる。
【００７９】
次に、複合機１におけるプレビュー画像の設定について説明する。図４はメンテナンス者用のプレビュー画像の設定画面４４０の一例を示す図であり、図５はユーザー用のプレビュー画像の設定画面４６０の一例を示す図である。いずれの設定画面も表示部４１０に表示される。
【００８０】
メンテナンス者用のプレビュー画像の設定画面４４０は、認証部５８がメンテナンス者を認証して、モード制御部５９がメンテナンスモードを実行している状態で、操作部４００において操作者が設定画面４４０を表示する操作をすることにより、表示制御部６１が表示部４１０に表示をする。これに対して、ユーザー用のプレビュー画像の設定画面４６０は、認証部５８がメンテナンス者の認証をしていない状態で、操作部４００において操作者が設定画面４６０を表示する操作をすることにより、表示制御部６１が表示部４１０に表示させる。
【００８１】
本実施形態では、表示制御部６１がプレビュー画像を表示部４１０に表示させる場合に、プレビュー画像の画質を優先するのか、表示パフォーマンスを優先するのかを選択できるようにしている。表示パフォーマンスとは、表示受付部５３１がプレビュー画像の表示操作を受け付けてから表示部４１０にプレビュー画像が表示されるまでの時間の短さである。表示パフォーマンスの向上とは表示パフォーマンスの時間が短くなることであり、表示パフォーマンスの低下とは表示パフォーマンスの時間が長くなることである。
【００８２】
プレビュー画像の画質を変える設定には様々な方法があるので、画質の設定を組み合わせることで、異なる時間の表示パフォーマンスを実現できる。以下、具体的に説明する。
【００８３】
メンテナンス者はプレビュー画像の画質の設定に関して専門的知識を有するので、図４に示すメンテナンス者用の設定画面４４０では、プレビュー画像の画質の細かな設定ができるようにされている。
【００８４】
モード設定の項目において、メンテナンス者が画質優先モードキー４４１と表示パフォーマンス優先モードキー４４２のいずれかを操作することにより、その操作が設定受付部５３２で受け付けられて、これにより表示制御部６１が操作された方のキーを反転表示させて、選択されたモードを示す。
【００８５】
画質優先モードでは画像処理において高画質処理がされ、表示パフォーマンス優先モードでは画像処理において低画質処理がされる。画像処理は上記(２)で説明したプレビュー画像データを生成する処理の１つである。例えば、低画質処理では画像をプレビュー画像用に縮小した場合に目視できないレベルの部分(例えばページ付け)を削除する処理をする。これに対して、高画質処理では目視できないレベルの部分も表示されるように処理をする。低画質処理をすれば、表示パフォーマンスが向上するが、プレビュー画像の画質が低下する。高画質処理をすれば、プレビュー画像の画質が向上するが、表示パフォーマンスが低下する。
【００８６】
サイズの項目において、メンテナンス者が数値を大きくするキー４４３や数値を小さくするキー４４４を操作することにより、その操作が操作受付部５３で受け付けられて、これにより表示制御部６１がプレビュー画像の縦のサイズを表示欄４４５に表示する。また、メンテナンス者が数値を大きくするキー４４６や数値を小さくするキー４４７を操作することにより、その操作が操作受付部５３で受け付けられて、これにより表示制御部６１がプレビュー画像の横のサイズを表示欄４４８に表示する。メンテナンス者はキー４４３，４４４，４４６，４４７を操作して、設定したい縦のサイズを表示欄４４５に表示させ、設定したい横のサイズを表示欄４４８に表示させる。サイズの設定は上記(２)で説明したプレビュー画像データを生成する処理の１つである。
【００８７】
プレビュー画像のサイズを小さく設定すればプレビュー画像データが小さくなるので、表示パフォーマンスは向上するが、表示部４１０で表示する場合にプレビュー画像を拡大しなければならないのでプレビュー画像の画質が低下する。
【００８８】
圧縮の項目では、メンテナンス者が選択キー４４９を操作することにより、その操作が操作受付部５３で受け付けられて、これにより表示制御部６１は圧縮部５７に用意されているプレビュー画像データの複数の圧縮形式を表示欄４５０に順番に表示する。メンテナンス者は選択キー４４９を操作することにより、選択する圧縮形式を表示欄４５０に表示させる。圧縮は上記(３)で説明した処理である。可逆の圧縮形式や高画質の非可逆の圧縮形式に設定すれば、プレビュー画像の表示パフォーマンスは低下するが、プレビュー画像の画質を向上させることができる。低画質の非可逆の圧縮形式に設定すれば、プレビュー画像の画質は低下するが、プレビュー画像の表示パフォーマンスを向上させることができる。
【００８９】
メンテナンス者が各項目について設定して、確定キー４５１を操作すると、その設定内容が設定受付部５３２で受け付けられて設定記憶部５５２に記憶される。画像生成部５６は、設定記憶部５５２に記憶したその設定内容に応じたサンプルプレビュー画像を生成する。計測部６０はサンプルプレビュー画像の生成を開始してからサンプルプレビュー画像が設定画面４４０に表示されるまでの時間を計測する。
【００９０】
表示制御部６１は、生成されたサンプルプレビュー画像４５２及び表示パフォーマンスとして計測部６０で計測された時間を設定画面４４０に表示させる。画質優先モードの設定において、プレビュー画像の画質が一番悪くなる設定が、プレビュー画像の予め定められた画質となる。また、表示パフォーマンス優先モードにおいて、プレビュー画像の画質が一番良くなる設定で得られる表示パフォーマンスが予め定められた表示パフォーマンスとなる。  
【００９１】
一方、ユーザーは通常、プレビュー画像の画質の設定に関して専門的知識を有さないので、図５に示すユーザー用の設定画面４６０では、図４に示すメンテナンス者用の設定画面４４０と比べて、設定内容が簡素化されている。
【００９２】
モード設定の項目において、ユーザーが画質優先モードキー４６１と表示パフォーマンス優先モードキー４６２のいずれかを操作することにより、その操作が設定受付部５３２で受け付けられて、これにより表示制御部６１が操作されたキーを反転表示させて、選択されたモードを示す。
【００９３】
画質優先モードでは画像処理において高画質処理がされ、表示パフォーマンス優先モードでは画像処理において低画質処理がされる。画像処理は上記(２)で説明したプレビュー画像データを生成する処理の１つである。高画質処理及び低画質処理は上述したメンテナンス者用の設定画面４４０の説明箇所で説明している。
【００９４】
レベル設定の項目において、ユーザーはキー４６３，４６４，４６５のいずれかを操作することにより、その操作が設定受付部５３２で受け付けられて、これにより表示制御部６１が操作されたキーを反転表示させて、選択されたレベルを示す。
【００９５】
ユーザーが画質優先モードを選択した場合に、キー４６３を操作すれば高画質のプレビュー画像が選択され、キー４６５を操作すれば低画質のプレビュー画像が選択され、キー４６４を操作すれば高画質と低画質との間の画質のプレビュー画像が選択される。画質優先モードの設定において、低画質のプレビュー画像がプレビュー画像の予め定められた画質となる。
【００９６】
一方、ユーザーが表示パフォーマンス優先モードを選択した場合に、キー４６３を操作すれば高い表示パフォーマンスが選択され、キー４６５を操作すれば低い表示パフォーマンスが選択され、キー４６４を操作すれば高い表示パフォーマンスと低い表示パフォーマンスとの間の表示パフォーマンスが選択される。表示パフォーマンス優先モードにおいて、低い表示パフォーマンスの設定で得られる表示パフォーマンスが予め定められた表示パフォーマンスとなる。
【００９７】
以上の通り、ユーザー設定の設定操作には６通り、それぞれの設定操作に対応するプレビュー画像の画質の設定内容(具体的には、高画質のプレビュー画像に対応する画質の設定内容、低画質のプレビュー画像に対応する画質の設定内容、中画質のプレビュー画像に対応する画質の設定内容、高表示パフォーマンスに対応する画質の設定内容、低表示パフォーマンスに対応する画質の設定内容、中表示パフォーマンスに対応する画質の設定内容)が、データ記憶部５５に予め記憶されている。
【００９８】
ユーザーが設定操作をして、確定キー４６６を操作すると、その設定操作が設定受付部５３２で受け付けられて、設定受付部５３２はその設定操作に対応するプレビュー画像の画質の設定内容をデータ記憶部５５から読み出して、設定記憶部５５２に記憶する。表示制御部６１はその設定操作に対応するサンプルデータをサンプルデータ記憶部５５３から取り出して、そのサンプルデータを基にして、サンプルプレビュー画像４６５と表示時間を設定画面４６０に表示させる。表示時間とはサンプルプレビュー画像４６５を生成した設定内容でプレビュー画像を生成した場合に必要と想定される時間である。
【００９９】
次に、複合機１におけるプレビュー画像の表示についてコピーを例に説明する。図６はそれを説明するフローチャートである。複合機１の主電源が操作者によってオンされると、表示制御部６１は表示部４１０に図７に示すようなコピー機能の初期画面４８０を表示させる(ステップＳ１)。操作者とは複合機１を操作する者であり、ユーザーやメンテナンス者を意味する。
【０１００】
操作者がコピーする原稿を図１に示す原稿載置部６０１又は原稿台５０３にセットし、操作者により初期画面４８０内のプレビューキー４１０１が操作されると、表示受付部５３１がその原稿のプレビュー画像を表示部４１０に表示させる操作を受け付ける(ステップＳ２)。これにより、まず、原稿読取部５００が原稿の画像を読み取る(ステップＳ３)。
【０１０１】
原稿読取部５００は、読み取った原稿の画像データを図２に示す画像処理部２１に送り、画像処理部２１はその画像データを画像形成用の画像データに処理して、画像データ記憶部５５１に記憶させる(ステップＳ４)。
【０１０２】
画像生成部５６は、設定記憶部５５２にデフォルト設定及びユーザー設定の両方が記憶されていれば(ステップＳ５でＹｅｓ)、ユーザー設定を選択する。そして、画像生成部５６は、ステップＳ４で画像データ記憶部５５１に記憶させた画像形成用の画像データを用いて、ユーザー設定の設定内容に応じたプレビュー画像を生成する(ステップＳ６)。
【０１０３】
一方、画像生成部５６は、設定記憶部５５２にユーザー設定が記憶されておらず、デフォルト設定だけが記憶されていれば(ステップＳ５でＮｏ)、画像生成部５６はステップＳ４で画像データ記憶部５５１に記憶させた画像形成用の画像データを用いて、デフォルト設定の設定内容に応じたプレビュー画像を生成する(ステップＳ７)。
【０１０４】
表示制御部６１はステップＳ６が実行されると、ステップＳ６で生成されたプレビュー画像を表示部４１０に表示させ、ステップＳ７が実行されると、ステップＳ７で生成されたプレビュー画像を表示部４１０に表示させる(ステップＳ８)。これにより、図７に示すコピーイメージ４１０２の箇所にプレビュー画像が表示される。
【０１０５】
操作者がそのプレビュー画像を見て、コピーイメージを確認し、コピーの設定内容を変えたい場合、スタートボタン４３２を操作せずに(ステップＳ９でＮｏ)、操作部４００のクリアーキー(不図示)を操作して、ステップＳ１からやり直す。
【０１０６】
一方、操作者がそのプレビュー画像を見て、コピーを実行する場合、スタートボタン４３２を操作する(ステップＳ９でＹｅｓ)、これにより、図３に示すプリンター部３１(画像形成部３３)は、画像データ記憶部５５１に記憶されているコピーする原稿の画像データを基にして、用紙に画像形成動作をし(ステップＳ１０)、画像が形成された用紙を排出する。
【０１０７】
本実施形態の主な効果を説明する。本実施形態では、表示部４１０にプレビュー画像を表示させる場合に画質優先モードと表示パフォーマンス優先モードのいずれかが選択される。設定記憶部５５２は設定受付部５３２により選択する操作が受け付けられたモードに対応するプレビュー画像の画質の設定内容を記憶している。画質優先モードが選択されている場合に表示受付部５３１がプレビュー画像の表示操作を受け付けると、画像生成部５６が、設定記憶部５５２に記憶されている、画質優先モードに対応するプレビュー画像の画質の設定内容に応じたプレビュー画像を生成し、表示制御部６１がそのプレビュー画像を表示部４１０に表示させる。これにより、予め定められた画質を有するプレビュー画像を表示させることができる。
【０１０８】
一方、表示パフォーマンス優先モードが選択されている場合に表示受付部５３１がプレビュー画像の表示操作を受け付けると、画像生成部５６が、設定記憶部５５２に記憶されている、表示パフォーマンス優先モードに対応するプレビュー画像の画質の設定内容に応じたプレビュー画像を表すプレビュー画像を生成し、表示制御部６１がそのプレビュー画像を表示部４１０に表示させる。これにより、予め定められた表示パフォーマンス以上でプレビュー画像を表示させることができる。
【０１０９】
以上により、本実施形態によれば、プレビュー画像の画質を重視するユーザー、プレビュー画像を速く表示させたいユーザーのいずれの要望にも応じることができる。
【０１１０】
また、本実施形態によれば、図４に示すようにメンテナンス者の認証が必要となるメンテナンスモードにおいて、画質優先モード及び表示パフォーマンス優先モードのいずれかのモードの選択、並びに、そのモードでの設定をすることができる。このため、それらの選択や設定をする者を制限することができる。
【０１１１】
さらに、本実施形態によれば、図５に示すように、認証部５８がメンテナンス者の認証をしていない時に、設定受付部５３２が画質優先モード又は表示パフォーマンス優先モードを設定する操作を受け付けると、当該受け付けられたモードに対応するプレビュー画像の画質の設定内容がユーザー設定として設定記憶部５５２に記憶される。図６のステップＳ５で説明したように、設定記憶部５５２にデフォルト設定及びユーザー設定の両方が記憶されている場合、画像生成部５６はユーザー設定を選択し、ユーザー設定に応じたプレビュー画像を生成する。これに対して、設定記憶部５５２にデフォルト設定が記憶され、ユーザー設定が記憶されていない場合、画像生成部５６はデフォルト設定に応じたプレビュー画像を生成する。
【０１１２】
従って、プレビュー画像の表示についてユーザー設定を選択したい場合はユーザー設定をし、デフォルト設定を選択したい場合はユーザー設定をしないことにより、デフォルト設定とユーザー設定を選択することができる。
【０１１３】
また、本実施形態によれば、図４及び図５で説明したように、設定受付部５３２は、画質優先モードにおいてプレビュー画像の画質を設定する操作及び表示パフォーマンス優先モードにおいて表示パフォーマンスを設定する操作をそれぞれ受け付けている。認証部５８がメンテナンス者の認証をしていない場合に、認証部５８がメンテナンス者の認証をしている場合と比べて、設定受付部５３２は簡素化された設定操作を受け付ける。従って、プレビュー画像の画質や表示パフォーマンスの設定に関して専門的知識を有さないユーザーに対して、設定に複雑な操作を要求しないようにすることができる。
【０１１４】
本実施形態によれば、図５で説明したように、画質優先モードでのプレビュー画像の画質を設定する操作及び表示パフォーマンス優先モードでの表示パフォーマンスを設定する操作において、これらの設定操作に対応するプレビュー画像の画質の設定内容に応じたサンプルプレビュー画像４６５及び表示時間を含む設定画面４６０を表示させている。従って、プレビュー画像の画質の設定時や表示パフォーマンスの設定時に実際のプレビュー画像の画質及びその表示パフォーマンスを想定して把握することができる。
【０１１５】
本実施形態によれば、図４で説明したように、画質優先モードでのプレビュー画像の画質を設定する操作及び表示パフォーマンス優先モードでの表示パフォーマンスを設定する操作において、これらの設定操作に対応するプレビュー画像の画質の設定内容に応じたサンプルプレビュー画像４５２及び計測部６０で計測された表示時間を含む設定画面４４０を表示させている。従って、プレビュー画像の画質の設定時や表示パフォーマンスの設定時に実際のプレビュー画像の画質及びその表示パフォーマンスを想定して把握することができる。
【０１１６】
さらに、サンプルプレビュー画像の生成を開始してからそのサンプルプレビュー画像が表示部４１０に表示されるまでの時間を、計測部６０により計測し、表示制御部６１がその計測した時間を実際のプレビュー画像の表示パフォーマンスとして表示部４１０に表示している。従って、表示パフォーマンスを複雑な計算をすることなく求めることができる。
【０１１７】
なお、本実施形態では図３に示すスキャナー部１１で読み取られる原稿のプレビュー画像を表示部４１０に表示させる例で説明したが、ＨＤＤ７４に割り当てられた文書ボックスに格納されている文書データで表される文書のプレビュー画像を表示部４１０に表示させることもできる。
【符号の説明】
【０１１８】
１  複合機(画像形成装置の一例)
４４０  設定画面
４５２  サンプルプレビュー画像
４６０  設定画面
４６５  サンプルプレビュー画像
【図１】
0005622617.tif 000002
【図２】
0005622617.tif 000003
【図３】
0005622617.tif 000004
【図４】
0005622617.tif 000005
【図５】
0005622617.tif 000006
【図６】
0005622617.tif 000007
【図７】
0005622617.tif 000008